(57)【要約】【課題】従来のプラント監視装置では、プラントを構成する監視対象設備自体に圧力計、流量計、ＰＴ、ＣＴ、温度センサ−、振動センサ−、水位計、などの様々なセンサーを組み込んで設置する必要があり、その設置やメンテナンスに時間を要し、既設の監視対象設備にセンサ−を付加する場合、当該監視対象設備を運転停止したり、分解しなければならない。【解決手段】プラントを構成する監視対象設備１を外部から継続的に撮影する撮像装置２、この撮像装置が撮影した画像のデ−タを監視デ−タとして入力する監視データ入力手段３、及びこの監視データ入力手段が先に入力したデ−タ容量と該監視データ入力手段が後から入力したデ−タ容量との変化を調べることにより前記監視対象設備の異常を検出する異常検出手段５を備えたプラント監視装置。【選択図】        図１
2004247784.tif 000002
【特許請求の範囲】
【請求項１】
プラントを構成する監視対象設備を撮像装置で外部から継続的に撮影し、先に撮影した撮影画像のデ−タ容量と、後から撮影した撮影画像のデ−タ容量との変化を異常検出手段によって調べることにより前記監視対象設備の異常を検出するプラント監視方式。
【請求項２】
プラントを構成する監視対象設備を外部から継続的に撮影する撮像装置、この撮像装置が撮影した画像のデ−タを監視デ−タとして入力する監視データ入力手段、及びこの監視データ入力手段が先に入力したデ−タ容量と該監視データ入力手段が後から入力したデ−タ容量との変化を調べることにより前記監視対象設備の異常を検出する異常検出手段を備えたプラント監視装置。
【請求項３】
プラントを構成する監視対象設備を外部から継続的に撮影する撮像装置、この撮像装置が撮影した画像のデ−タを監視デ−タとして入力する監視データ入力手段、この監視データ入力手段が入力した画像デ−タを圧縮する画像圧縮手段、及びこの画像圧縮手段が先の入力を圧縮した画像のデ−タ容量と該画像圧縮手段が後の入力を圧縮した画像のデ−タ容量との変化を調べることにより前記監視対象設備の異常を検出する異常検出手段を備えたプラント監視装置。
【請求項４】
請求項３に記載のプラント監視装置において、前記画像圧縮手段の画像圧縮回路の消費電力を検出する消費電力センサーを設け、前記画像圧縮手段の画像圧縮回路による先の入力の圧縮動作時における該画像圧縮回路の消費電力と該画像圧縮回路による後の入力の圧縮動作時における該画像圧縮回路の消費電力との変化を前記異常検出手段で調べることにより前記監視対象設備の異常を検出することを特徴とするプラント監視装置。
【請求項５】
請求項３に記載のプラント監視装置において、前記画像圧縮手段の画像圧縮回路の温度を検出する温度センサーを設け、前記画像圧縮手段の画像圧縮回路による先の入力の圧縮動作時における該画像圧縮回路の温度と該画像圧縮回路による後の入力の圧縮動作時における該画像圧縮回路の温度との変化を前記異常検出手段で調べることにより前記監視対象設備の異常を検出することを特徴とするプラント監視装置。
【請求項６】
請求項３に記載のプラント監視装置において、前記画像圧縮手段の画像圧縮回路の電圧を検出する電圧センサーを設け、前記画像圧縮手段の画像圧縮回路による先の入力の圧縮動作時における該画像圧縮回路の電圧と該画像圧縮回路による後の入力の圧縮動作時における該画像圧縮回路の電圧との変化を前記異常検出手段で調べることにより前記監視対象設備の異常を検出することを特徴とするプラント監視装置。
【請求項７】
請求項３に記載のプラント監視装置において、前記画像圧縮手段の画像圧縮回路の動作時におけるメモリ消費量を測定するメモリ消費量測定手段を設け、前記画像圧縮手段の画像圧縮回路による先の入力の圧縮動作時における該画像圧縮回路のメモリ消費量と該画像圧縮回路による先の入力の圧縮動作時における該画像圧縮回路のメモリ消費量との変化を前記異常検出手段で調べることにより前記監視対象設備の異常を検出することを特徴とするプラント監視装置。
【請求項８】
プラントを構成する監視対象設備の周辺で音を集音する集音装置により継続的に集音し、先に集音した音のデ−タ容量と、後から集音した音のデ−タ容量との変化を異常検出手段によって調べることにより前記監視対象設備の異常を検出するプラント監視方式。
【請求項９】
プラントを構成する監視対象設備の周辺の音を継続的に集音する集音装置、この集音装置が集音した音のデ−タを監視デ−タとして入力する監視データ入力手段、及びこの監視データ入力手段が先に入力したデ−タ容量と該監視データ入力手段が後から入力したデ−タ容量との変化を調べることにより前記監視対象設備の異常を検出する異常検出手段を備えたプラント監視装置。
【請求項１０】
プラントを構成する監視対象設備の周辺の音を継続的に集音する集音装置、この集音装置が集音した音のデ−タを監視デ−タとして入力する監視データ入力手段、この監視データ入力手段が入力した音のデ−タを圧縮する音デ−タ圧縮手段、及び前記監視データ入力手段が先に入力した音のデ−タを前記音デ−タ圧縮手段が圧縮した音のデ−タ容量と前記監視データ入力手段があとから入力した音のデ−タを前記音デ−タ圧縮手段が圧縮した音のデ−タ容量との変化を調べることにより前記監視対象設備の異常を検出する異常検出手段を備えたプラント監視装置。
【請求項１１】
請求項１０に記載のプラント監視装置において、前記音デ−タ圧縮手段の音デ−タ圧縮回路の消費電力を検出する消費電力センサーを設け、前記音デ−タ圧縮手段の音デ−タ圧縮回路による先の入力の圧縮動作時における該音デ−タ圧縮回路の消費電力と該音デ−タ圧縮回路による後の入力の圧縮動作時における該音デ−タ圧縮回路の消費電力との変化を前記異常検出手段で調べることにより前記監視対象設備の異常を検出することを特徴とするプラント監視装置。
【請求項１２】
請求項１０に記載のプラント監視装置において、前記音デ−タ圧縮手段の音デ−タ圧縮回路の温度を検出する温度センサーを設け、前記音デ−タ圧縮手段の音デ−タ圧縮回路による先の入力の圧縮動作時における該音デ−タ圧縮回路の温度と該音デ−タ圧縮回路による後の入力の圧縮動作時における該音デ−タ圧縮回路の温度との変化を前記異常検出手段で調べることにより前記監視対象設備の異常を検出することを特徴とするプラント監視装置。
【請求項１３】
請求項１０に記載のプラント監視装置において、前記音デ−タ圧縮手段の音デ−タ圧縮回路の電圧を検出する電圧センサーを設け、前記音デ−タ圧縮手段の音デ−タ圧縮回路による先の入力の圧縮動作時における該音デ−タ圧縮回路の電圧と該音デ−タ圧縮回路による後の入力の圧縮動作時における該音デ−タ圧縮回路の電圧との変化を前記異常検出手段で調べることにより前記監視対象設備の異常を検出することを特徴とするプラント監視装置。
【請求項１４】
請求項１０に記載のプラント監視装置において、前記音デ−タ圧縮手段の音デ−タ圧縮回路の動作時におけるメモリ消費量を測定するメモリ消費量測定手段を設け、前記音デ−タ圧縮手段の音デ−タ圧縮回路による先の入力の圧縮動作時における該音デ−タ圧縮回路のメモリ消費量と該音デ−タ圧縮回路による先の入力の圧縮動作時における該音デ−タ圧縮回路のメモリ消費量との変化を前記異常検出手段で調べることにより前記監視対象設備の異常を検出することを特徴とするプラント監視装置。
【発明の詳細な説明】
【０００１】
【発明の属する技術分野】
この発明は、例えば発電プラント、水処理プラント、鉄鋼プラント、等の所謂プラントを構成する監視対象設備の異常の有無を監視するプラント監視方式、及びプラント監視装置に関するものである。
【０００２】
【従来の技術】
従来のプラント監視装置は、例えば特開平９−８１２３３号公報に見られるようにプラントを構成する監視対象設備自体に圧力計、流量計、ＰＴ、ＣＴ、温度センサ−、振動センサ−、水位計、などの様々なセンサーを組み込み、それらの値がどのような値を取るときにどのような異常がおこったことになるのかを定義したデータを用いて異常を検出している。
【０００３】
【特許文献１】
特開平９−８１２３３号公報（図２１、段落番号０００２〜０００５）
【０００４】
【発明が解決しようとする課題】
従来のプラント監視装置では、プラントを構成する監視対象設備自体に圧力計、流量計、ＰＴ、ＣＴ、温度センサ−、振動センサ−、水位計、などの様々なセンサーを組み込んで設置する必要があり、その設置やメンテナンスに時間を要し、コストも比較的高くつくという課題があった。
【０００５】
また、従来のプラント監視装置は、プラントを構成する監視対象設備自体に付加したセンサ−以外から異常情報をプラント監視装置に通知する機能が全くなく、前記監視対象設備自体に組み込んだセンサーが対象としている測定データ以外の原因による異常を確認することが出来なかった。
【０００６】
また、プラントを構成する既存の監視対象設備自体に新たなセンサーを組み込む際には稼動している当該監視対象設備を一旦停止したり、当該センサーを当該監視対象設備内部に組み込むために当該監視対象設備を分解する必要があったりして、その際の当該監視対象設備の停止や分解、再組み立てにかかるコストが高いという課題があった。
【０００７】
この発明は前記のような問題を解決するためになされたもので、プラントを構成する監視対象設備自体にセンサーを組み込むことなく監視対象設備の異常の有無を監視できるようにすることを目的とするものである。
【０００８】
【課題を解決するための手段】
この発明に係るプラント監視方式は、プラントを構成する監視対象設備を撮像装置で外部から継続的に撮影し、先に撮影した撮影画像のデ−タ容量と、後から撮影した撮影画像のデ−タ容量との変化を異常検出手段によって調べることにより前記監視対象設備の異常を検出するものである。
【０００９】
また、この発明に係るプラント監視装置は、プラントを構成する監視対象設備を外部から継続的に撮影する撮像装置、この撮像装置が撮影した画像のデ−タを監視デ−タとして入力する監視データ入力手段、及びこの監視データ入力手段が先に入力したデ−タ容量と該監視データ入力手段が後から入力したデ−タ容量との変化を調べることにより前記監視対象設備の異常を検出する異常検出手段を備えているものである。
【００１０】
また、この発明に係るプラント監視方式は、プラントを構成する監視対象設備の周辺で音を集音する集音装置により継続的に集音し、先に集音した音のデ−タ容量と、後から集音した音のデ−タ容量との変化を異常検出手段によって調べることにより前記監視対象設備の異常を検出するものである。
【００１１】
また、この発明に係るプラント監視装置は、プラントを構成する監視対象設備の周辺で音を継続的に集音する集音装置、この集音装置が集音した音のデ−タを監視デ−タとして入力する監視データ入力手段、及びこの監視データ入力手段が先に入力したデ−タ容量と該監視データ入力手段が後から入力したデ−タ容量との変化を調べることにより前記監視対象設備の異常を検出する異常検出手段を備えているものである。
【００１２】
【発明の実施の形態】
実施の形態１．
以下、この発明の実施の形態１を図１及び図２によって説明する。図１はプラント監視方式を実施するプラント監視装置の全体構成の一例を示す図、図２は図１の動作を説明するための動作フロ−図である。
【００１３】
図１において、プラント監視装置は、プラントを構成する監視対象設備１自体および前記監視対象設備１の周辺の状況を前記監視対象設備１の外部から継続的に撮影する撮像装置２と、この撮像装置２が撮影した画像のデ−タを監視デ−タとして入力する監視データ入力手段３と、この監視データ入力手段３が監視でデ−タとして入力した画像デ−タを画像圧縮する画像圧縮手段４と、前記監視データ入力手段３が先に入力した監視データを前記画像圧縮手段４で圧縮したデ−タ容量と該監視データ入力手段３が後から入力した監視データを前記画像圧縮手段４で圧縮したデ−タ容量との変化を調べることにより前記監視対象設備１の異常を自動的に検出する異常検出手段５とから構成されている。
【００１４】
次に前記図１の動作を図２を参照しながら説明する。プラントを構成する監視対象設備１の監視にあたり、撮像装置２は、プラントを構成する監視対象設備１自体や前記監視対象設備１の周辺の状況を前記監視対象設備１の外部から継続的に撮影し、撮像装置２が撮影した画像のデ−タを監視データ入力手段３が監視デ−タとして入力する。監視データとなる画像が正常に入力されれば（ステップＳＴ１）、入力された画像データからなる監視データは画像データ圧縮手段４によって圧縮される（ステップＳＴ２）。
【００１５】
ステップＳＴ２によって圧縮された画像データは、異常検出手段５で、当該圧縮した画像データの記録容量を過去の圧縮した画像データの記録容量と比較して著しく変化があった場合（ステップＳＴ３）、異常検出手段５が異常とみなす。
【００１６】
例えば、撮像装置２を、ダムや貯水池の水位を撮影するＴＶカメラとして適用した場合は、ダムや貯水池の水位が豪雨やダムや貯水池の一部破損により急激に変化した場合、撮像装置２の出力である画像デ−タの容量は急激に変化する。また、例えば、撮像装置２を、発電機や変圧器を外部から継続的に撮影する赤外線カメラとして適用した場合は、発電機や変圧器の経年劣化や異常な過大負荷により発電機や変圧器の温度が急激に上昇した場合、撮像装置２の出力画像デ−タ容量は急激に変化する。このような場合、前記ステップＳＴ２によって圧縮された画像データは、当該圧縮した画像データの記録容量を過去の圧縮した画像データの記録容量と比較して著しく変化するので、異常検出手段５は、異常とみなす動作をし、例えば警報を出し、端末などの表示装置（図示省略）に何処の○○設備に△△の異常発生などの表示をする。
【００１７】
以上のようにこの発明の実施の形態１によれば、プラントを構成する監視対象設備１自体に複雑なセンサーを組み込むことなくプラントを構成する監視対象設備１の異常を自動的に検出出来る。
【００１８】
また、プラント監視装置自体の内部の監視データ容量の急変を異常検出手段５で検出することにより、プラントを構成する監視対象設備１の異常検出を自動的に行うセンサーの役割を果たすので、プラントを構成する監視対象設備１自体にセンサーを組み込む必要がなく、コストを低減することが出来る。
【００１９】
また、プラントを構成する監視対象設備１に新たなセンサーを設置する際にも当該監視対象設備１を停止、分解することなく当該監視対象設備１を稼動させたまま監視作業を継続することが可能となる。
【００２０】
実施の形態２．
以下、この発明の実施の形態２を図３及び図４によって説明する。図３はプラント監視方式を実施するプラント監視装置の全体構成の一例を示す図、図４は図３の動作を説明するための動作フロ−図である。
【００２１】
この発明の実施の形態２では、図３に示すように、前述のこの発明の実施の形態１と比較して消費電力センサー４２が追加されている。画像圧縮手段４を構成する画像圧縮回路４１の消費電力が過去の消費電力と比較して著しく変化した場合、異常検出手段５で、異常があるとみなす。他の構成要素は前述のこの発明の実施の形態１と同一であるのでその説明は省略する。
【００２２】
次に図３の動作を図４を参照しながら説明する。ステップＳＴ１は、前述のこの発明の実施の形態１と同様なのでその説明は省略する。入力された画像データからなる監視デ−タに対して画像圧縮回路４１は圧縮処理を行う。圧縮処理の際の画像圧縮回路４１の消費電力を消費電力センサー４２を用いて測定する（ステップＳＴ４１）。測定した消費電力が過去の画像データ圧縮時の消費電力と比較して著しく変化した場合（ステップＳＴ４２）、異常検出手段５は、異常が発生したとみなす。例えば、水処理プラントにおいて貯水池の水があふれ出た場合などは、動きが激しいため監視データ入力手段１によって撮影される画像の圧縮処理で通常時に比べると画像圧縮回路４１には非常に負担がかかる。よって画像圧縮回路４１が消費する電力が非常に大きくなる。
【００２３】
消費電力センサー４２を用いることにより、プラントを構成する監視対象設備１自体に複雑なセンサーを組み込むことなくプラントを構成する監視対象設備１の異常を自動的に検出出来る。
【００２４】
実施の形態３．
以下、この発明の実施の形態３を図５及び図６によって説明する。図５はプラント監視方式を実施するプラント監視装置の全体構成の一例を示す図、図６は図５の動作を説明するための動作フロ−図である。
【００２５】
この発明の実施の形態３では、図５に示すように、前述のこの発明の実施の形態１と比較して温度センサー４３が追加されている。画像圧縮手段４を構成する画像圧縮回路４１の温度が過去の温度と比較して著しく変化した場合、異常検出手段５で、異常があるとみなす。他の構成要素は前述のこの発明の実施の形態１と同一であるのでその説明は省略する。
【００２６】
次に図５の動作を図６を参照しながら説明する。ステップＳＴ１は、前述のこの発明の実施の形態１と同様なのでその説明は省略する。入力された画像データからなる監視デ−タに対して画像圧縮回路４１は圧縮処理を行う。圧縮処理の際の画像圧縮回路４１の温度を温度センサー４３を用いて測定する（ステップＳＴ６１）。測定した温度が過去の画像データ圧縮時の温度と比較して著しく変化した場合（ステップＳＴ６２）、異常検出手段５は、異常が発生したとみなす。
【００２７】
温度センサー４３を用いることにより、プラントを構成する監視対象設備１自体に複雑なセンサーを組み込むことなくプラントを構成する監視対象設備１の異常を自動的に検出出来る。
【００２８】
実施の形態４．
以下、この発明の実施の形態４を図７及び図８によって説明する。図７はプラント監視方式を実施するプラント監視装置の全体構成の一例を示す図、図８は図７の動作を説明するための動作フロ−図である。
【００２９】
この発明の実施の形態４では、図７に示すように、前述のこの発明の実施の形態１と比較して電圧センサー４４が追加されている。画像圧縮手段４を構成する画像圧縮回路４１の電圧が過去の画像データ圧縮時の電圧と比較して著しく変化した場合、異常検出手段５で、異常があるとみなす。他の構成要素は前述のこの発明の実施の形態１と同一であるのでその説明は省略する。
【００３０】
次に図７の動作を図８を参照しながら説明する。ステップＳＴ１は、前述のこの発明の実施の形態１と同様なのでその説明は省略する。入力された画像データからなる監視デ−タに対して画像圧縮回路４１は圧縮処理を行う。圧縮処理の際の画像圧縮回路４１の電圧を電圧センサー４４を用いて測定する（ステップＳＴ８１）。計測した電圧が過去の画像データ圧縮による電圧と比較して著しく変化した場合（ステップＳＴ８２）、異常検出手段５は、異常が発生したとみなす。
【００３１】
電圧センサー４４を用いることにより、プラントを構成する監視対象設備１自体に複雑なセンサーを組み込むことなくプラントを構成する監視対象設備１の異常を自動的に検出出来る。
【００３２】
実施の形態５．
以下、この発明の実施の形態５を図９及び図１０によって説明する。図９はプラント監視方式を実施するプラント監視装置の全体構成の一例を示す図、図１０は図９の動作を説明するための動作フロ−図である。
【００３３】
この発明の実施の形態５では、図９に示すように、前述のこの発明の実施の形態１と比較してメモリ消費量測定手段４５が追加されている。画像圧縮手段４を構成する画像圧縮回路４１のメモリ消費量が過去のメモリ消費量と比較して著しく変化した場合、異常検出手段５で、異常があるとみなす。他の構成要素は前述のこの発明の実施の形態１と同一であるのでその説明は省略する。
【００３４】
次に図９の動作を図１０を参照しながら説明する。ステップＳＴ１は、前述のこの発明の実施の形態１と同様なのでその説明は省略する。入力された画像データからなる監視デ−タに対して画像圧縮回路４１は圧縮処理を行う。圧縮処理の際の画像圧縮回路４１のメモリ消費量をメモリ消費量測定手段４５を用いて測定する（ステップＳＴ１０１）。計測したメモリ消費量が過去の画像データ圧縮によるメモリ消費量と比較して著しく変化した場合（ステップＳＴ１０２）、異常検出手段５は、異常が発生したとみなす。
【００３５】
メモリ消費量測定手段を用いることにより、プラントを構成する監視対象設備１自体に複雑なセンサーを組み込むことなくプラントを構成する監視対象設備１の異常を自動的に検出出来る。
【００３６】
実施の形態６．
以下、この発明の実施の形態６を図１１及び図１２によって説明する。図１１はプラント監視方式を実施するプラント監視装置の全体構成の一例を示す図、図１２は図１１の動作を説明するための動作フロ−図である。
【００３７】
図１１において、プラント監視装置は、プラントを構成する監視対象設備１自体や前記監視対象設備１の周辺の音を前記監視対象設備１の周辺で継続的に集音する集音装置６と、この集音装置６が集音した音のデ−タを監視デ−タとして入力する監視データ入力手段３と、この監視データ入力手段３が監視デ−タとして入力した音のデ−タを圧縮する音デ−タ圧縮手段７と、前記監視データ入力手段３が先に入力した監視データを前記音デ−タ圧縮手段７で圧縮したデ−タ容量と該監視データ入力手段３が後から入力した監視データを前記音デ−タ圧縮手段７で圧縮したデ−タ容量との変化を調べることにより前記監視対象設備１の異常を自動的に検出する異常検出手段５とから構成されている。
【００３８】
次に前記図１１の動作を図１２を参照しながら説明する。プラントを構成する監視対象設備１の監視にあたり、集音装置６は、プラントを構成する監視対象設備１自体や前記監視対象設備１の周辺の音を前記監視対象設備１の周辺で継続的に集音し、集音装置６が集音した音のデ−タを監視データ入力手段３が監視デ−タとして入力する。監視データとなる音が正常に入力されれば（ステップＳＴ１）、監視データは音デ−タ圧縮手段７によって圧縮される（ステップＳＴ１２１）。
【００３９】
ステップＳＴ１２１によって圧縮された音データは、異常検出手段３で圧縮した音データの記録容量を過去の圧縮した音データの記録容量と比較して（ステップＳＴ１２２）、著しく変化があった場合、異常検出手段５が異常とみなす。
【００４０】
例えば、集音装置６を、ダムや貯水池の音を集音するマイクロフォンとして適用した場合は、ダムや貯水池の水が豪雨やダムや貯水池の一部破損によりダムや貯水池から溢れ出たり流出した場合、集音装置６の出力である音のデ−タ容量は急激に変化する。また、例えば、集音装置６を、発電機や変圧器の周辺で発電機や変圧器が発生する音を継続的に集音するマイクロフォンとして適用した場合は、発電機や変圧器の経年劣化や異常な過大負荷により発電機や変圧器が発生する音が急激に上昇した場合、集音装置６の出力である音のデ−タ容量は急激に変化する。このような場合、前記ステップＳＴ１２１によって圧縮された音データは、当該圧縮した音データの記録容量を過去の圧縮した音データの記録容量と比較して著しく変化するので、異常検出手段５は、異常とみなす動作をし、例えば警報を出し、端末などの表示装置（図示省略）に何処の○○設備に△△の異常発生などの表示をする。
【００４１】
以上のようにこの発明の実施の形態６によれば、プラントを構成する監視対象設備１自体に複雑なセンサーを組み込むことなくプラントを構成する監視対象設備１の異常を自動的に検出出来る。
【００４２】
また、プラント監視装置自体の内部の監視データ容量の急変を異常検出手段５で検出することにより、プラントを構成する監視対象設備１の異常検出を自動的に行うセンサーの役割を果たすので、プラントを構成する監視対象設備１自体にセンサーを組み込む必要がなく、コストを低減することが出来る。
【００４３】
また、プラントを構成する監視対象設備１に新たなセンサーを設置する際にも当該監視対象設備１を停止、分解することなく当該監視対象設備１を稼動させたまま監視作業を継続することが可能となる。
【００４４】
実施の形態７．
以下、この発明の実施の形態７を図１３及び図１４によって説明する。図１３はプラント監視方式を実施するプラント監視装置の全体構成の一例を示す図、図１４は図１３の動作を説明するための動作フロ−図である。
【００４５】
この発明の実施の形態７では、図１３に示すように、前述のこの発明の実施の形態６と比較して消費電力センサー４２が追加されている。
図１３は、この発明の実施の形態７におけるプラント監視装置の構成図である。図１３では実施の形態６と比較して消費電力センサー２２が追加されている。音データ圧縮手段７を構成する音声圧縮回路７１の消費電力が過去の消費電力と比較して著しく変化した場合、異常検出手段５で、異常があるとみなす。他の構成要素は前述のこの発明の実施の形態６と同一であるのでその説明は省略する。
【００４６】
次に図１３の動作を図１４を参照しながら説明する。ステップＳＴ１は、前述のこの発明の実施の形態１と同様なのでその説明は省略する。入力された音データデータからなる監視デ−タに対して音デ−タ圧縮回路７１は圧縮処理を行う。圧縮処理の際の音デ−タ圧縮回路７１の消費電力を消費電力センサー４２を用いて測定する（ステップＳＴ１４１）。測定した消費電力が過去の音データ圧縮時の消費電力と比較して著しく変化した場合（ステップＳＴ４２）、異常検出手段５は、異常が発生したとみなす。
【００４７】
消費電力センサー４２を用いることにより、プラントを構成する監視対象設備１自体に複雑なセンサーを組み込むことなくプラントを構成する監視対象設備１の異常を自動的に検出出来る。
【００４８】
実施の形態８．
以下、この発明の実施の形態８を図１５及び図１６によって説明する。図１５はプラント監視方式を実施するプラント監視装置の全体構成の一例を示す図、図１６は図１５の動作を説明するための動作フロ−図である。
【００４９】
この発明の実施の形態８では、図１５に示すように、前述のこの発明の実施の形態６と比較して温度センサー４３が追加されている。音デ−タ圧縮手段７を構成する音デ−タ圧縮回路７１の温度が過去の温度と比較して著しく変化した場合、異常検出手段５で、異常があるとみなす。他の構成要素は前述のこの発明の実施の形態１と同一であるのでその説明は省略する。
【００５０】
次に図５の動作を図６を参照しながら説明する。ステップＳＴ１は、前述のこの発明の実施の形態１と同様なのでその説明は省略する。入力された音データからなる監視デ−タに対して音デ−タ圧縮回路７１は圧縮処理を行う。圧縮処理の際の音デ−タ圧縮回路７１の温度を温度センサー４３を用いて測定する（ステップＳＴ１６１）。測定した温度が過去の音声データ圧縮時の温度と比較して著しく変化した場合（ステップＳＴ６２）、異常検出手段５は、異常が発生したとみなす。
【００５１】
温度センサー４３を用いることにより、プラントを構成する監視対象設備１自体に複雑なセンサーを組み込むことなくプラントを構成する監視対象設備１の異常を自動的に検出出来る。
【００５２】
実施の形態９．
以下、この発明の実施の形態４を図７及び図８によって説明する。図７はプラント監視方式を実施するプラント監視装置の全体構成の一例を示す図、図８は図７の動作を説明するための動作フロ−図である。
【００５３】
この発明の実施の形態９では、図１７に示すように、前述のこの発明の実施の形態６と比較して電圧センサー４４が追加されている。音データ圧縮手段７を構成する音データ圧縮回路７１の電圧が過去の音データ圧縮時の電圧と比較して著しく変化した場合、異常検出手段５で、異常があるとみなす。他の構成要素は前述のこの発明の実施の形態１と同一であるのでその説明は省略する。
【００５４】
次に図１７の動作を図１８を参照しながら説明する。ステップＳＴ１は、前述のこの発明の実施の形態６と同様なのでその説明は省略する。入力された音のデータからなる監視デ−タに対して音デ−タ圧縮回路７１は圧縮処理を行う。圧縮処理の際の音デ−タ圧縮回路７１の電圧を電圧センサー４４を用いて測定する（ステップＳＴ１８１）。計測した電圧が過去の音データ圧縮による電圧と比較して著しく変化した場合（ステップＳＴ８２）、異常検出手段５は、異常が発生したとみなす。
【００５５】
電圧センサー４４を用いることにより、プラントを構成する監視対象設備１自体に複雑なセンサーを組み込むことなくプラントを構成する監視対象設備１の異常を自動的に検出出来る。
【００５６】
実施の形態１０．
以下、この発明の実施の形態１０を図１９及び図２０によって説明する。図１９はプラント監視方式を実施するプラント監視装置の全体構成の一例を示す図、図２０は図１９の動作を説明するための動作フロ−図である。
【００５７】
この発明の実施の形態１０では、図１９に示すように、前述のこの発明の実施の形態６と比較してメモリ消費量測定手段４５が追加されている。音デ−タ圧縮手段７を構成する音声圧縮回路７１のメモリ消費量が過去のメモリ消費量と比較して著しく変化した場合、異常検出手段５で、異常があるとみなす。他の構成要素は前述のこの発明の実施の形態１と同一であるのでその説明は省略する。
【００５８】
次に図９の動作を図１０を参照しながら説明する。ステップＳＴ１は、前述のこの発明の実施の形態１と同様なのでその説明は省略する。入力された音データからなる監視デ−タに対して音データ圧縮回路７１は圧縮処理を行う。圧縮処理の際の音データ圧縮回路７１のメモリ消費量をメモリ消費量測定手段２５を用いて測定する（ステップＳＴ２０１）。計測したメモリ消費量が過去の音声データ圧縮によるメモリ消費量と比較して著しく変化した場合（ステップＳＴ１０２）、異常検出手段５は、異常が発生したとみなす。
【００５９】
メモリ消費量測定手段を用いることにより、プラントを構成する監視対象設備１自体に複雑なセンサーを組み込むことなくプラントを構成する監視対象設備１の異常を自動的に検出出来る。
【００６０】
【発明の効果】
この発明は前述のように、プラントを構成する監視対象設備を撮像装置で外部から継続的に撮影し、先に撮影した撮影画像のデ−タ容量と、後から撮影した撮影画像のデ−タ容量との変化を異常検出手段によって調べることにより前記監視対象設備の異常を検出するプラント監視方式としたので、プラントを構成する監視対象設備自体にセンサーを組み込むことなく監視対象設備の異常の有無を監視でき、プラントを構成する既存の監視対象設備自体に新たなセンサーを付加する際には、稼動している当該監視対象設備を一旦停止したり、当該センサーを当該監視対象設備内部に組み込むために当該監視対象設備を分解しなくてすむ効果を奏する。
【００６１】
また、この発明は前述のように、プラントを構成する監視対象設備を外部から継続的に撮影する撮像装置、この撮像装置が撮影した画像のデ−タを監視デ−タとして入力する監視データ入力手段、及びこの監視データ入力手段が先に入力したデ−タ容量と該監視データ入力手段が後から入力したデ−タ容量との変化を調べることにより前記監視対象設備の異常を検出する異常検出手段を備えたプラント監視装置としたので、前述のプラントを構成する監視対象設備を撮像装置で外部から継続的に撮影し、先に撮影した撮影画像のデ−タ容量と、後から撮影した撮影画像のデ−タ容量との変化を異常検出手段によって調べることにより前記監視対象設備の異常を検出するプラント監視方式を実施するプラント監視装置を実現できる効果がある。
【００６２】
また、この発明は前述のように、プラントを構成する監視対象設備の周辺で音を集音する集音装置により継続的に集音し、先に集音した音のデ−タ容量と、後から集音した音のデ−タ容量との変化を異常検出手段によって調べることにより前記監視対象設備の異常を検出するプラント監視方式としたので、プラントを構成する監視対象設備自体にセンサーを組み込むことなく監視対象設備の異常の有無を監視でき、プラントを構成する既存の監視対象設備自体に新たなセンサーを付加する際には、稼動している当該監視対象設備を一旦停止したり、当該センサーを当該監視対象設備内部に組み込まなくてすむ効果を奏する。
【００６３】
また、この発明は前述のように、プラントを構成する監視対象設備の周辺で音を継続的に集音する集音装置、この集音装置が集音した音のデ−タを監視デ−タとして入力する監視データ入力手段、及びこの監視データ入力手段が先に入力したデ−タ容量と該監視データ入力手段が後から入力したデ−タ容量との変化を調べることにより前記監視対象設備の異常を検出する異常検出手段を備ええたプラント監視装置としたので、前述のプラントを構成する監視対象設備の周辺で音を集音する集音装置により継続的に集音し、先に集音した音のデ−タ容量と、後から集音した音のデ−タ容量との変化を異常検出手段によって調べることにより前記監視対象設備の異常を検出するプラント監視方式を実施するプラント監視装置を実現できる効果がある。
【図面の簡単な説明】
【図１】この発明の実施の形態１の全体構成を示す図。
【図２】この発明の実施の形態１の異常検出動作を示すフロー図。
【図３】この発明の実施の形態２の全体構成を示す図。
【図４】この発明の実施の形態２の異常検出動作を示すフロー図。
【図５】この発明の実施の形態３の全体構成を示す図。
【図６】この発明の実施の形態３の異常検出動作を示すフロー図。
【図７】この発明の実施の形態４の全体構成を示す図。
【図８】この発明の実施の形態４の異常検出動作を示すフロー図。
【図９】この発明の実施の形態５の全体構成を示す図。
【図１０】この発明の実施の形態５の異常検出動作を示すフロー図。
【図１１】この発明の実施の形態６の全体構成を示す図。
【図１２】この発明の実施の形態６の異常検出動作を示すフロー図。
【図１３】この発明の実施の形態７の全体構成を示す図。
【図１４】この発明の実施の形態７の異常検出動作を示すフロー図。
【図１５】この発明の実施の形態８の全体構成を示す図。
【図１６】この発明の実施の形態８の異常検出動作を示すフロー図。
【図１７】この発明の実施の形態９の全体構成を示す図。
【図１８】この発明の実施の形態９の異常検出動作を示すフロー図。
【図１９】この発明の実施の形態１０の全体構成を示す図。
【図２０】この発明の実施の形態１０の異常検出動作を示すフロー図。
【符号の説明】
１  プラントを構成する監視対象設備、
２  撮像設備、                      ３  監視データ入力手段、
４  画像圧縮手段、                  ５  異常検出手段、
６  集音装置、                      ７  音デ−タ圧縮手段、
４１  画像圧縮回路、                ４２  消費電力センサー、
４３  温度センサー、                ４４  電圧センサー、
４５  メモリ消費量測定手段、        ７１  音声圧縮回路。
【図１】
2004247784.tif 000003
【図２】
2004247784.tif 000004
【図３】
2004247784.tif 000005
【図４】
2004247784.tif 000006
【図５】
2004247784.tif 000007
【図６】
2004247784.tif 000008
【図７】
2004247784.tif 000009
【図８】
2004247784.tif 000010
【図９】
2004247784.tif 000011
【図１０】
2004247784.tif 000012
【図１１】
2004247784.tif 000013
【図１２】
2004247784.tif 000014
【図１３】
2004247784.tif 000015
【図１４】
2004247784.tif 000016
【図１５】
2004247784.tif 000017
【図１６】
2004247784.tif 000018
【図１７】
2004247784.tif 000019
【図１８】
2004247784.tif 000020
【図１９】
2004247784.tif 000021
【図２０】
2004247784.tif 000022